(57)【要約】【課題】異常が発生している電池モジュールに対して、消火剤を迅速に供給する。【解決手段】蓄電システム用の消火装置は、複数の電池モジュールと、複数の電池モジュールのそれぞれに対して冷却ガスを供給するための冷却ガス供給ラインと、を備える蓄電システムに用いられる消火装置である。蓄電システム用の消火装置は、消火剤が貯留された少なくとも一つの消火剤タンクと、少なくとも一つの消火剤タンクと冷却ガス供給ラインとの間に設けられる消火剤供給ラインと、を備える。消火剤供給ラインは、冷却ガス供給ラインを介して消火剤タンクから複数の電池モジュールのうち一つ以上の電池モジュールに対して消火剤を供給するように構成されている。【選択図】  図１
2020156768.tif 000002
【特許請求の範囲】
【請求項１】
複数の電池モジュールと、複数の前記電池モジュールのそれぞれに対して冷却ガスを供給するための冷却ガス供給ラインと、を備える蓄電システムに用いられる消火装置であって、
消火剤が貯留された少なくとも一つの消火剤タンクと、
少なくとも一つの前記消火剤タンクと前記冷却ガス供給ラインとの間に設けられる消火剤供給ラインと、を備え、
前記消火剤供給ラインは、前記冷却ガス供給ラインを介して前記消火剤タンクから複数の前記電池モジュールのうち一つ以上の前記電池モジュールに対して前記消火剤を供給するように構成された
蓄電システム用の消火装置。
【請求項２】
複数の前記電池モジュールは、複数のモジュールグループに分けられ、
前記冷却ガス供給ラインは、上流側に位置する共通ラインと、該共通ラインから前記複数のモジュールグループのそれぞれに向かって分岐する複数の分岐ラインと、を含み、
前記消火剤供給ラインは、上流側に位置する共通ラインと、該共通ラインから前記冷却ガス供給ラインの複数の前記分岐ラインのそれぞれに接続される複数の接続用ラインと、複数の前記接続用ラインのそれぞれに設けられる複数のバルブと、を含む
請求項１に記載の蓄電システム用の消火装置。
【請求項３】
複数の前記電池モジュールは、複数のモジュールグループに分けられ、
前記冷却ガス供給ラインは、上流側に位置する共通ラインと、該共通ラインから前記複数のモジュールグループのそれぞれに向かって分岐する複数の分岐ラインと、を含み、
前記消火剤供給ラインは、上流側に位置して前記消火剤タンクに接続される共通ラインと、該共通ラインから前記冷却ガス供給ラインの複数の前記分岐ラインのそれぞれに接続される複数の接続用ラインと、前記共通ラインに設けられるバルブと、を含む
請求項１に記載の蓄電システム用の消火装置。
【請求項４】
前記冷却ガス供給ラインに設けられ、前記消火剤の前記冷却ガス供給ラインへの流入時、前記冷却ガス供給ラインのうち前記冷却ガス供給ラインと前記消火剤供給ラインとの接続部よりも上流側の領域を、前記冷却ガス供給ラインの前記上流側の領域よりも下流側の領域から隔てるように構成された逆流防止弁をさらに備える
請求項１乃至３の何れか一項に記載の蓄電システム用の消火装置。
【請求項５】
前記消火剤タンクは、前記消火剤を液化ガスとして蓄積する高圧タンクであり、
前記逆流防止弁は、前記冷却ガス供給ラインのうち前記接続部に設けられ、
前記逆流防止弁は、
前記消火剤の前記冷却ガス供給ラインへの非流入時、前記冷却ガス供給ラインの前記上流側の領域と前記下流側の領域とを連通させる開ポジションと、
前記消火剤の前記冷却ガス供給ラインへの流入時、前記冷却ガス供給ラインの前記上流側の領域と前記下流側の領域とを隔てる閉ポジションとの間で、
前記消火剤供給ラインの圧力に応じて切り替わるように構成された
請求項４に記載の蓄電システム用の消火装置。
【請求項６】
前記逆流防止弁は、前記冷却ガス供給ラインのダクト内壁のうち前記接続部の上流側に位置する支点周りに回動可能な弁体を含み、
前記弁体は、
前記開ポジションにおいて、前記消火剤供給ラインの前記冷却ガス供給ラインへの接続端を閉塞し、
前記閉ポジションにおいて、前記接続部の上流側において前記冷却ガス供給ラインを閉塞する
ように構成された
請求項５に記載の蓄電システム用の消火装置。
【請求項７】
前記逆流防止弁は、複数の前記電池モジュールの少なくとも一つの前記電池モジュールから電源電圧が供給され、複数の前記電池モジュールのうち一つ以上の前記電池モジュールの異常の発生の有無に応じて変化する前記電源電圧の供給状態に応じて前記開ポジションと前記閉ポジションとを切り替えるように構成された
請求項６に記載の蓄電システム用の消火装置。
【請求項８】
複数の前記電池モジュールのうち一つ以上の前記電池モジュールの異常の発生を検知する異常検知センサと、
前記消火剤供給ラインに設けられ、前記異常検知センサの検知信号に応じて前記消火剤を供給するように動作する少なくとも一つの電磁弁と、
を備える請求項１乃至７のいずれか一項に記載の蓄電システム用の消火装置。
【請求項９】
複数の電池モジュールと、
複数の前記電池モジュールのそれぞれに対して冷却ガスを供給するための冷却ガス供給ラインと、
前記冷却ガス供給ラインを介して複数の前記電池モジュールのうち一つ以上の前記電池モジュールに対して前記消火剤を供給するように構成された、請求項１乃至８の何れか一項に記載の蓄電システム用の消火装置と、
を備える蓄電システム。
【請求項１０】
前記冷却ガス供給ラインは、
２以上の前記電池モジュールの配列方向に沿って延在するダクト部と、
前記２以上の前記電池モジュールに対してそれぞれ設けられ、前記２以上の前記電池モジュールと前記ダクト部の内部空間とを連通させる複数の連通路と、
を含み、
前記消火剤供給ラインは、前記冷却ガス供給ラインの前記ダクト部に接続され、前記ダクト部および前記複数の連通路を介して前記２以上の前記電池モジュールのそれぞれに前記消火剤を供給するように構成された
請求項９に記載の蓄電システム。
【発明の詳細な説明】
【技術分野】
【０００１】
本開示は、蓄電システム用の消火装置及び蓄電システムに関する。
【背景技術】
【０００２】
収納空間に複数の二次電池を配列した蓄電システムが普及している。二次電池は、劣化や充放電等によって温度が急上昇することがある。そのため、蓄電システムには、安全性を確保するための消火設備や二次電池を冷却するための冷却ガス供給設備が設けられている場合がある。
【０００３】
例えば、特許文献１には、二次電池が配置される収納空間に対して天井側又は床側から消火剤を噴射する消火剤噴射装置と、収納空間に対して天井側から冷却空気を供給して二次電池を冷却する空気調和装置とを備える蓄電装置が開示されている。
【先行技術文献】
【特許文献】
【０００４】
【特許文献１】特開２０１６−７３３２８号公報
【発明の概要】
【発明が解決しようとする課題】
【０００５】
しかしながら、特許文献１の蓄電装置では、収納空間の全体に消火剤が拡散するように消火剤が供給される。この場合、二次電池に対して間接的に消火剤を供給することになるため、異常が発生している二次電池に消火剤が到達するまでに時間がかかる。
【０００６】
上述の事情に鑑みて、本発明の少なくとも一実施形態は、異常が発生している電池モジュールに対して、消火剤を迅速に供給することを目的とする。
【課題を解決するための手段】
【０００７】
（１）本発明の少なくとも一実施形態に係る蓄電システム用の消火装置は、
複数の電池モジュールと、複数の前記電池モジュールのそれぞれに対して冷却ガスを供給するための冷却ガス供給ラインと、を備える蓄電システムに用いられる消火装置であって、
消火剤が貯留された少なくとも一つの消火剤タンクと、
少なくとも一つの前記消火剤タンクと前記冷却ガス供給ラインとの間に設けられる消火剤供給ラインと、を備え、
前記消火剤供給ラインは、前記冷却ガス供給ラインを介して前記消火剤タンクから複数の前記電池モジュールのうち一つ以上の前記電池モジュールに対して前記消火剤を供給するように構成されている。
【０００８】
上記（１）の構成によれば、冷却ガス供給ラインは、電池モジュールに対して冷却ガスを供給するための供給ラインであるため、異常が発生している電池モジュールに対して、消火剤を迅速に供給することができる。なお、消火装置は、冷却ガス供給ラインを利用して消火剤を供給するように構成されているため、省スペースで設置可能である。
【０００９】
（２）幾つかの実施形態では、上記（１）の構成において、
複数の前記電池モジュールは、複数のモジュールグループに分けられ、
前記冷却ガス供給ラインは、上流側に位置する共通ラインと、該共通ラインから前記複数のモジュールグループのそれぞれに向かって分岐する複数の分岐ラインと、を含み、
前記消火剤供給ラインは、上流側に位置する共通ラインと、該共通ラインから前記冷却ガス供給ラインの複数の前記分岐ラインのそれぞれに接続される複数の接続用ラインと、複数の前記接続用ラインのそれぞれに設けられる複数のバルブと、を含む。
【００１０】
上記（２）の構成によれば、異常が発生しているモジュールグループに向かう分岐ラインに接続される接続用ラインのバルブを開放することにより、異常が発生しているモジュールグループのみに消火剤を供給することが可能となる。そのため、消火に要する時間を短縮し、消火剤の消費量を低減することができる。
【００１１】
（３）幾つかの実施形態では、上記（１）の構成において、
複数の前記電池モジュールは、複数のモジュールグループに分けられ、
前記冷却ガス供給ラインは、上流側に位置する共通ラインと、該共通ラインから前記複数のモジュールグループのそれぞれに向かって分岐する複数の分岐ラインと、を含み、
前記消火剤供給ラインは、上流側に位置して前記消火剤タンクに接続される共通ラインと、該共通ラインから前記冷却ガス供給ラインの複数の前記分岐ラインのそれぞれに接続される複数の接続用ラインと、前記共通ラインに設けられるバルブと、を含む。
【００１２】
上記（３）の構成によれば、消火剤タンクに接続される共通ラインに設けられるバルブを開放することによって、複数のモジュールグループのそれぞれに消火剤を供給することが可能となる。そのため、複数のモジュールグループのそれぞれに消火剤を供給するための消火剤タンクを共有することができる。
【００１３】
（４）幾つかの実施形態では、上記（１）乃至（３）の何れか一つの構成において、蓄電システム用の消火装置は、前記冷却ガス供給ラインに設けられ、前記消火剤の前記冷却ガス供給ラインへの流入時、前記冷却ガス供給ラインのうち前記冷却ガス供給ラインと前記消火剤供給ラインとの接続部よりも上流側の領域を、前記冷却ガス供給ラインの前記上流側の領域よりも下流側の領域から隔てるように構成された逆流防止弁をさらに備える。
【００１４】
上記（４）の構成によれば、消火剤と冷却ガスの混合を抑制し、電池モジュールに対して噴射される消火剤の濃度を確保することが可能となる。
【００１５】
（５）幾つかの実施形態では、上記（４）の構成において、
前記消火剤タンクは、前記消火剤を液化ガス又は高圧ガスとして蓄積する高圧タンクであり、
前記逆流防止弁は、前記冷却ガス供給ラインのうち前記接続部に設けられ、
前記逆流防止弁は、
前記消火剤の前記冷却ガス供給ラインへの非流入時、前記冷却ガス供給ラインの前記上流側の領域と前記下流側の領域とを連通させる開ポジションと、
前記消火剤の前記冷却ガス供給ラインへの流入時、前記冷却ガス供給ラインの前記上流側の領域と前記下流側の領域とを隔てる閉ポジションとの間で、
前記消火剤供給ラインの圧力に応じて切り替わるように構成されている。
【００１６】
上記（５）の構成によれば、高圧タンクから消火剤が供給されると消火剤の気化によって消火剤供給ラインの圧力が増加し、冷却ガス供給ラインの圧力よりも大きくなる。このように消火剤供給ラインの圧力によって逆流防止弁を作動させるため、構成を簡易にすることができる。
【００１７】
（６）幾つかの実施形態では、上記（５）の構成において、
前記逆流防止弁は、前記冷却ガス供給ラインのダクト内壁のうち前記接続部の上流側に位置する支点周りに回動可能な弁体を含み、
前記弁体は、
前記開ポジションにおいて、前記消火剤供給ラインの前記冷却ガス供給ラインへの接続端を閉塞し、
前記閉ポジションにおいて、前記接続部の上流側において前記冷却ガス供給ラインを閉塞する
ように構成されている。
【００１８】
上記（６）の構成によれば、例えば、弁体を冷却ガス供給ラインのダクト内壁に沿った形状にすることにより、開ポジションにおいて冷却ガスの流れを阻害しないようにすることが可能となる。
【００１９】
（７）幾つかの実施形態では、上記（６）の構成において、
前記逆流防止弁は、複数の前記電池モジュールの少なくとも一つの前記電池モジュールから電源電圧が供給され、複数の前記電池モジュールのうち一つ以上の前記電池モジュールの異常の発生の有無に応じて変化する前記電源電圧の供給状態に応じて前記開ポジションと前記閉ポジションとを切り替えるように構成されている。
【００２０】
上記（７）の構成によれば、電池モジュールからの電源電圧を利用して逆流防止弁の開ポジションと閉ポジションとを切り替えることが可能となる。そのため、蓄電システム用の消火装置の構成を簡素化することができる。
【００２１】
（８）幾つかの実施形態では、上記（１）乃至（７）の何れか一つの構成において、蓄電システム用の消火装置は、
複数の前記電池モジュールのうち一つ以上の前記電池モジュールの異常の発生を検知する異常検知センサと、
前記消火剤供給ラインに設けられ、前記異常検知センサの検知信号に応じて前記消火剤を供給するように動作する少なくとも一つの電磁弁と、
を備える。
【００２２】
上記（８）の構成によれば、異常検知センサの検知信号に応じて、自動的に消火剤を供給することが可能となる。
【００２３】
（９）本発明の少なくとも一実施形態に係る蓄電システムは、
複数の電池モジュールと、
複数の前記電池モジュールのそれぞれに対して冷却ガスを供給するための冷却ガス供給ラインと、
前記冷却ガス供給ラインを介して複数の前記電池モジュールのうち一つ以上の前記電池モジュールに対して前記消火剤を供給するように構成された、上記（１）乃至（８）の何れか一つに記載の蓄電システム用の消火装置と、
を備える。
【００２４】
上記（９）の構成によれば、冷却ガス供給ラインは、電池モジュールに対して冷却ガスを供給するための供給ラインであるため、蓄電システム用の消火装置は、異常が発生している電池モジュールに対して、消火剤を迅速に供給することができる。
【００２５】
（１０）幾つかの実施形態では、上記（９）の構成において、
前記冷却ガス供給ラインは、
２以上の前記電池モジュールの配列方向に沿って延在するダクト部と、
前記２以上の前記電池モジュールに対してそれぞれ設けられ、前記２以上の前記電池モジュールと前記ダクト部の内部空間とを連通させる複数の連通路と、
を含み、
前記消火剤供給ラインは、前記冷却ガス供給ラインの前記ダクト部に接続され、前記ダクト部および前記複数の連通路を介して前記２以上の前記電池モジュールのそれぞれに前記消火剤を供給するように構成されている。
【００２６】
上記（１０）の構成によれば、複数の電池モジュールのそれぞれに消火剤を供給することができる。また、ダクト部と連通路とを共有して消火剤と冷却ガスを供給するため、構成が簡素化され、省スペース化を図ることができる。
【発明の効果】
【００２７】
本発明の少なくとも一実施形態によれば、異常が発生している電池モジュールに対して、消火剤を迅速に供給することができる。
【図面の簡単な説明】
【００２８】
【図１】本発明の一実施形態に係る蓄電システムの概略構成図である。
【図２】一実施形態に係る蓄電システムの概略構成図である。
【図３Ａ】一実施形態に係る蓄電システムの逆流防止弁の開ポジションを説明するための模式図である。
【図３Ｂ】一実施形態に係る蓄電システムの逆流防止弁の閉ポジションを説明するための模式図である。
【００２９】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３０】
図１及び図２は、それぞれ、本発明の一実施形態に係る蓄電システム１００（１００Ａ，１００Ｂ）の概略構成図である。図１及び図２に示すように、蓄電システム１００（１００Ａ，１００Ｂ）は、複数の電池モジュール１と、冷却ガスを供給するための冷却ガス供給ライン２と、蓄電システム用の消火装置１０と、を備える。
【００３１】
電池モジュール１は、一つ以上の二次電池（セル）を含んで構成される。例えば、電池モジュール１は、ケースによってパッケージ化された４つの二次電池と、各々の二次電池に設けられ、内部の圧力が高い場合に内部の高温ガスを放出するための４つの安全弁（不図示）とを含む。
【００３２】
二次電池は、例えば、リチウムイオン電池、鉛蓄電池、ニッケル水素電池等である。二次電池は、金属性の板状体によって直列又は並列に相互接続される。複数の電池モジュール１は、例えば、棚状のラックに対して上下方向及び水平方向に配列される。
【００３３】
冷却ガス供給ライン２は、複数の電池モジュール１のそれぞれに対して冷却ガスを供給する。例えば、冷却ガスは、二次電池の熱を奪った後に、排気され、又は冷却ガスの供給源に戻って放熱後に再び二次電池に供給される。このように、冷却ガスは、対流により二次電池を冷却するためのガスであり、例えば、空気、フロン、又は、不活性ガス（窒素やアルゴン等）である。
【００３４】
蓄電システム用の消火装置１０（１０Ａ，１０Ｂ）は、冷却ガス供給ライン２を介して複数の電池モジュール１のうち一つ以上の電池モジュール１に対して消火剤を供給するように構成されている。具体的には、蓄電システム用の消火装置１０（１０Ａ，１０Ｂ）は、消火剤が貯留された消火剤タンク１１と、消火剤タンク１１と冷却ガス供給ライン２との間に設けられる消火剤供給ライン３と、を備える。
【００３５】
なお、図１及び図２は、蓄電システム１００（１００Ａ，１００Ｂ）が１つの消火剤タンク１１を備える構成を示している。しかし、蓄電システム１００（１００Ａ，１００Ｂ）は複数の消火剤タンク１１を備えていてもよい。
【００３６】
消火剤供給ライン３は、冷却ガス供給ライン２を介して消火剤タンク１１から複数の電池モジュール１のうち一つ以上の電池モジュール１に対して消火剤を供給するように構成されている。消火剤供給ライン３は、冷却ガス供給ライン２に接続されている。冷却ガス供給ライン２と消火剤供給ライン３とは、管路やダクトであってもよいし、複数の電池モジュール１を覆うように構成された筐体の内部空間を流路とするものであってもよい。
【００３７】
このような構成によれば、冷却ガス供給ライン２は、電池モジュール１に対して冷却ガスを供給するための供給ラインである。そのため、蓄電システム用の消火装置１０（１０Ａ、１０Ｂ）は、異常が発生している電池モジュール１に対して、消火剤を迅速に供給することができる。なお、蓄電システム用の消火装置１０（１０Ａ、１０Ｂ）は、冷却ガス供給ライン２を利用して消火剤を供給するように構成されているため、省スペースで設置可能である。
【００３８】
幾つかの実施形態では、複数の電池モジュール１は、複数のモジュールグループに分けられていてもよい。例えば、図１及び図２では、複数の電池モジュール１は、一方向に隣接するように配列され、それらの列（モジュールグループＡ〜Ｅ）が互いに間隔を空けて配置されている。モジュールグループにおいて、複数の電池モジュール１は、それぞれ互いに壁によって隔てられていてもよい。なお、電池モジュール１の配置は、このような配置に限られず、設置場所や用途に応じて変形可能である。
【００３９】
幾つかの実施形態では、冷却ガス供給ライン２は、図１及び図２に示すように、上流側に位置する共通ライン２Ａと、共通ライン２Ａから複数のモジュールグループＡ〜Ｅのそれぞれに向かって分岐する複数の分岐ライン２Ｂと、を含んでいる。冷却ガス供給ライン２の分岐ライン２Ｂは、電池モジュール１の配列方向（例えば、モジュールグループＡ〜Ｅの列方向）に沿って延在していてもよい。
【００４０】
一実施形態では、消火剤供給ライン３は、例えば、図２に示すように、上流側に位置する共通ライン３Ａと、共通ライン３Ａから冷却ガス供給ライン２の複数の分岐ライン２Ｂのそれぞれに接続される複数の接続用ライン３Ｂと、複数の接続用ライン３Ｂのそれぞれに設けられる複数のバルブ３Ｃと、を含んでいてもよい。
【００４１】
かかる構成によれば、異常が発生しているモジュールグループ（例えばモジュールグループＡ）に向かう分岐ライン２Ｂに接続される接続用ライン３Ｂのバルブ３Ｃを開放することにより、異常が発生しているモジュールグループ（例えばモジュールグループＡ）のみに消火剤を供給することが可能となる。そのため、消火に要する時間を短縮し、消火剤の消費量を低減することができる。
【００４２】
一実施形態では、消火剤供給ライン３は、例えば、図１に示すように、上流側に位置して消火剤タンク１１に接続される共通ライン３Ａと、共通ライン３Ａから冷却ガス供給ライン２の複数の分岐ライン２Ｂのそれぞれに接続される複数の接続用ライン３Ｂと、共通ライン３Ａに設けられるバルブ３Ｃと、を含んでいてもよい。
【００４３】
かかる構成によれば、消火剤タンク１１に接続される共通ライン３Ａに設けられるバルブ３Ｃを開放することによって、複数のモジュールグループＡ〜Ｅのそれぞれに消火剤を供給することが可能となる。そのため、複数のモジュールグループＡ〜Ｅのそれぞれに消火剤を供給するための消火剤タンク１１を共有することができる。
【００４４】
幾つかの実施形態では、例えば、図３Ａ及び図３Ｂに示すように、蓄電システム用の消火装置１０（１０Ａ、１０Ｂ）は、冷却ガス供給ライン２に設けられる逆流防止弁４をさらに備えていてもよい。図３Ａは、一実施形態に係る蓄電システム１００（１００Ａ，１００Ｂ）の逆流防止弁４の開ポジションを説明するための模式図である。図３Ｂは、一実施形態に係る蓄電システム１００（１００Ａ，１００Ｂ）の逆流防止弁４の閉ポジションを説明するための模式図である。
【００４５】
図３Ａ及び図３Ｂに示すように、逆流防止弁４は、消火剤の冷却ガス供給ライン２の分岐ライン２Ｂへの流入時、冷却ガス供給ライン２のうち冷却ガス供給ライン２の分岐ライン２Ｂと消火剤供給ライン３の接続用ライン３Ｂとの接続部よりも上流側の領域を、その上流側の領域よりも下流側の領域から隔てるように構成されている。かかる構成によれば、消火剤と冷却ガスの混合を抑制し、電池モジュール１に対して噴射される消火剤の濃度を確保することが可能となる。
【００４６】
幾つかの実施形態において、消火剤タンク１１は、消火剤を液化ガス又は高圧ガスとして蓄積する高圧タンクであってもよい。この場合、逆流防止弁４は、図３Ａに示す開ポジションと、図３Ｂに示す閉ポジションとの間で消火剤供給ラインの圧力に応じて切り替わるように構成されていてもよい。
【００４７】
開ポジションでは、逆流防止弁４は、消火剤の冷却ガス供給ライン２への非流入時、冷却ガス供給ライン２の上流側の領域と下流側の領域とを連通させる。一方、閉ポジションでは、逆流防止弁４は、消火剤の冷却ガス供給ライン２への流入時、冷却ガス供給ライン２の上流側の領域と下流側の領域とを隔てる。
【００４８】
かかる構成によれば、高圧タンクである消火剤タンク１１から消火剤が供給されると、その消火剤の気化によって消火剤供給ライン３の圧力が増加し、冷却ガス供給ライン２の圧力よりも大きくなる。このように消火剤供給ライン３の圧力によって逆流防止弁４を作動させるため、構成を簡易にすることができる。
【００４９】
幾つかの実施形態では、例えば、図３Ａ及び図３Ｂに示すように、逆流防止弁４は、冷却ガス供給ライン２のダクト内壁のうち接続部の上流側に位置する支点４Ａ周りに回動可能な弁体４Ｂを含む構成であってもよい。弁体４Ｂは、開ポジションにおいて、消火剤供給ライン３の冷却ガス供給ライン２への接続端を閉塞し、閉ポジションにおいて、接続部の上流側において冷却ガス供給ライン２を閉塞するように構成される。弁体４Ｂは、平板状であってもよいし、湾曲形状であってもよい。弁体４Ｂは、消火剤供給ライン３及び冷却ガス供給ライン２のダクトに適した形状であればよい。
【００５０】
かかる構成によれば、例えば、弁体４Ｂを冷却ガス供給ライン２のダクト内壁に沿った形状にすることにより、開ポジションにおいて冷却ガスの流れを阻害しないようにすることが可能となる。
【００５１】
幾つかの実施形態では、逆流防止弁４は、複数の電池モジュール１の少なくとも一つの電池モジュール１から電源電圧が供給され、複数の電池モジュール１のうち一つ以上の電池モジュール１の異常の発生の有無に応じて変化する電源電圧の供給状態に応じて開ポジションと閉ポジションとを切り替えるように構成されていてもよい。例えば、逆流防止弁４がノーマルクローズ型の電磁弁であり、通常時には、電池モジュール１による励磁によって開ポジションを維持し、異常発生時には、その励磁の消失により閉ポジションとなるように構成されてもよい。
【００５２】
かかる構成によれば、電池モジュール１からの電源電圧を利用して逆流防止弁４の開ポジションと閉ポジションとを切り替えることが可能となる。そのため、蓄電システム用の消火装置１０（１０Ａ、１０Ｂ）の構成を簡素化することができる。
【００５３】
幾つかの実施形態では、蓄電システム用の消火装置１０は、例えば、図１及び図２に示すように、複数の電池モジュール１のうち一つ以上の電池モジュール１の異常の発生を検知する異常検知センサ６とその検知信号を出力するためのセンサ出力ライン７とを備える。このような構成において、消火剤供給ライン３に設けられるバルブ３Ｃは、異常検知センサ６の検知信号に応じて消火剤を供給するように動作する電磁弁であってもよい。なお、センサ出力ライン７は、図１及び図２に示すように、直接バルブ３Ｃに接続されてもよいし、バルブ３Ｃを制御するための制御装置（不図示）に接続されてもよい。
【００５４】
かかる構成によれば、異常検知センサ６の検知信号に応じて、自動的に消火剤を供給することが可能となる。なお、異常検知センサ６は、電池モジュール１の過度な温度上昇を検知する温度センサであってもよいし、電池モジュール１の内部の過度な圧力上昇を検知するガスセンサであってもよい。異常検知センサ６は、電池モジュール１に設けられてもよいし、電池モジュール１の複数の二次電池（セル）のそれぞれに設けられてもよい。
【００５５】
幾つかの実施形態では、冷却ガス供給ライン２は、２以上の電池モジュール１の配列方向に沿って延在するダクト部と、２以上の電池モジュール１に対してそれぞれ設けられ、２以上の電池モジュール１とダクト部の内部空間とを連通させる複数の連通路とを含んでいてもよい。消火剤供給ライン３は、冷却ガス供給ライン２のダクト部に接続され、ダクト部および複数の連通路を介して２以上の電池モジュール１のそれぞれに消火剤を供給するように構成されていてもよい。
【００５６】
例えば、図１及び図２において、冷却ガス供給ライン２の分岐ライン２Ｂがダクト部に対応し、分岐ライン２Ｂから電池モジュール１に向かう矢印が連通路に対応していてもよい。ダクト部は、ダクトであってもよいし、壁や仕切り板によってダクトとして機能するように構成されてもよい。連通路は、ダクトや管路のように物体であってもよいし、ダクト部に設けられる連通孔によって形成されてもよい。
【００５７】
かかる構成によれば、複数の電池モジュール１のそれぞれに消火剤を供給することができる。また、ダクト部と連通路とを共有して消火剤と冷却ガスを供給するため、構成が簡素化され、省スペース化を図ることができる。
【００５８】
本発明は上述した実施形態に限定されることはなく、上述した実施形態に変形を加えた形態や、これらの形態を適宜組み合わせた形態も含む。
【００５９】
例えば、幾つかの実施形態において、蓄電システム用の消火装置１０（１０Ａ、１０Ｂ）は、逆流防止弁４の代わりに逆流防止弁４ではないバルブ５を備える構成であってもよい。また、蓄電システム用の消火装置１０（１０Ａ、１０Ｂ）は、逆流防止の信頼性を高めるために、逆流防止弁４と逆流防止弁４ではないバルブ５との両方を備える構成であってもよい。例えば、図１に示すように、蓄電システム用の消火装置１０（１０Ａ、１０Ｂ）は、冷却ガス供給ライン２のうち冷却ガス供給ライン２と消火剤供給ライン３との接続部より上流側にバルブ５を設けて、そのバルブ５を消火剤の供給時に閉鎖させる構成であってもよい。バルブ５は、消火剤を供給するためのバルブ３Ｃが開く動作に応じて閉じるように構成され、異常発生時にバルブ５が冷却ガス供給ライン２の上流側と下流側を閉鎖させるように構成されてもよい。
【００６０】
また、例えば、バルブ５は異常検知センサ６の検知信号に応じて作動する電磁弁であり、通常時には冷却ガス供給ライン２の上流側と下流側を連通させ、異常発生時には冷却ガス供給ライン２の上流側と下流側を閉塞するように構成されてもよい。かかるバルブ５は複数の分岐ライン２Ｂのそれぞれに設けられてもよいし、共通ライン２Ａに一つだけ設けられてもよい。
【００６１】
蓄電システム用の消火装置１０は、複数の消火剤タンク１１を備える構成であってもよい。この場合、消火剤供給ライン３は、共通ライン３Ａと接続用ライン３Ｂとを備える構成ではなく、複数の消火剤タンク１１のそれぞれから複数のモジュールグループのそれぞれに向かう複数の経路から構成されていてもよい。
【符号の説明】
【００６２】
１  電池モジュール
２  冷却ガス供給ライン
２Ａ，３Ａ  共通ライン
２Ｂ  分岐ライン
３  消火剤供給ライン
３Ｂ  接続用ライン
３Ｃ，５  バルブ
４  逆流防止弁
４Ａ  支点
４Ｂ  弁体
６  異常検知センサ
７  センサ出力ライン
１０  消火装置
１１  消火剤タンク
１００  蓄電システム
【図１】
2020156768.tif 000003
【図２】
2020156768.tif 000004
【図３Ａ】
2020156768.tif 000005
【図３Ｂ】
2020156768.tif 000006